(57)【特許請求の範囲】
【請求項１】
筒状に形成され、内側にレンズを収納し、基端側に第１のネジ部が形成されたレンズ鏡筒と、  固体撮像素子を内部に収納し、前記レンズ鏡筒の前記第１のネジ部と螺合する第２のネジ部が形成され、当該第２のネジ部に前記第１のネジ部が螺合した状態で、前記レンズからの光を前記固体撮像素子に導く開口が形成されたカメラ本体と、  を備える小型カメラに用いられるカメラレンズ保持具であって、  前記カメラ本体に取り付けられた状態で、前記レンズ鏡筒の前記螺合が緩む方向の回転を防止するように形成され、  弾性を有する素材で形成され、裏面が前記カメラ本体に取り付けられ、前記レンズ鏡筒が接触した状態で挿入される貫通部を有し、当該貫通部の内面に切込みが形成され、当該切込みにより、前記螺合が緩む方向に前記レンズ鏡筒が回転する際に当該レンズ鏡筒に与える反発力が、前記螺合が締まる方向に前記レンズ鏡筒が回転する際に当該レンズ鏡筒に与える反発力よりも大きくなり、  前記貫通部は、前記レンズ鏡筒の回転軸方向から見て四角形状に形成され、当該四角形状の四隅に前記切込みが形成され、  前記切込みの深さ方向は、前記螺合が緩む方向に形成されている  ことを特徴とするカメラレンズ保持具。
【請求項２】
前記螺合が緩む方向に前記レンズ鏡筒が回転する際に当該レンズ鏡筒に与える反発力が、前記螺合が締まる方向に前記レンズ鏡筒が回転する際に当該レンズ鏡筒に与える反発力よりも大きくなるように形成されている  ことを特徴とする請求項１に記載のカメラレンズ保持具。
【請求項３】
前記切込みは、前記貫通部の中間部から前記カメラレンズ保持具の表面に掛けて、底が拡開方向に傾けて形成されている  ことを特徴とする請求項１又は２に記載のカメラレンズ保持具。
【発明の詳細な説明】
【技術分野】
【０００１】
本発明は、小型カメラのカメラ本体からレンズ鏡筒が脱落するのを防止できるようにした小型カメラ及びカメラレンズ保持具に関する。
【背景技術】
【０００２】
近年、固体撮像素子の小型高性能化により、スマートフォン、インターフォンや監視カメラ等のさまざまな分野で、小型カメラが普及してきている。  
【０００３】
このような小型カメラ（デジタルカメラモジュール）では、特許文献１に示す様に、レンズ鏡筒にレンズを収納し、カメラ本体のハウジングに固体撮像素子を収納し、カメラ本体側の雌ねじ部に、レンズ鏡筒に形成した雄ネジ部を螺入して螺合することで、レンズ鏡筒をカメラ本体に取り付ける構造が一般的になっている。
【先行技術文献】
【特許文献】
【０００４】
【特許文献１】特開２０１４−１９４５５８号公報
【発明の概要】
【発明が解決しようとする課題】
【０００５】
特許文献１に記載の従来の小型カメラでは、ネジ部の螺合によりレンズ鏡筒がカメラ本体に取り付けられているので、取り付けの角度や外部からの振動（例えば、地震、車両の揺れ）や人体の接触（例えば、子供がレンズ鏡筒を指で触る）等によりネジ部の螺合が緩み、カメラ本体からレンズ鏡筒が回転しピントがずれる、または脱落するという問題があった。  
【０００６】
本発明は、小型カメラにおいて、カメラ本体からレンズ鏡筒が回転・脱落するのを防止できる小型カメラ及びカメラレンズ保持具を提供することを目的とする。
【課題を解決するための手段】
【０００７】
請求項１に記載の発明の小型カメラは、筒状に形成され、内側にレンズを収納し、基端側に第１のネジ部が形成されたレンズ鏡筒と、固体撮像素子を内部に収納し、前記レンズ鏡筒の前記第１のネジ部と螺合する第２のネジ部が形成され、当該第２のネジ部に前記第１のネジ部が螺合した状態で、前記レンズからの光を前記固体撮像素子に導く開口が形成されたカメラ本体と、前記カメラ本体に取り付けられた状態で、前記レンズ鏡筒の前記螺合が緩む方向の回転を防止するように形成されたカメラレンズ保持具とを備えることを特徴とする。
【０００８】
請求項２に記載の発明の小型カメラは、請求項１に記載の小型カメラであって、前記第１のネジ部は、雄ネジ部であり、前記第２のネジ部は、雌ネジ部であることを特徴とする。
【０００９】
請求項３に記載の発明の小型カメラは、請求項１又は２に記載の小型カメラであって、前記カメラレンズ保持具は、前記螺合が緩む方向に前記レンズ鏡筒が回転する際に当該レンズ鏡筒に与える反発力が、前記螺合が締まる方向に前記レンズ鏡筒が回転する際に当該レンズ鏡筒に与える反発力よりも大きくなるように形成されていることを特徴とする。
【００１０】
請求項４に記載の発明の小型カメラは、請求項１乃至３のいずれか１項に記載の小型カメラであって、前記カメラレンズ保持具は、弾性を有する素材で形成され、裏面が前記カメラ本体に取り付けられ、前記レンズ鏡筒が接触した状態で挿入される貫通部を有し、当該貫通部の内面に切込みが形成され、当該切込みにより、前記螺合が緩む方向に前記レンズ鏡筒が回転する際に当該レンズ鏡筒に与える反発力が、前記螺合が締まる方向に前記レンズ鏡筒が回転する際に当該レンズ鏡筒に与える反発力よりも大きくなることを特徴とする。
【００１１】
請求項５に記載の発明の小型カメラは、請求項４に記載の小型カメラであって、前記カメラレンズ保持具に形成された前記貫通部は、前記レンズ鏡筒の回転軸方向から見て、四角形状に形成され、当該四角形状の四隅に前記切込みが形成され、前記切込みの深さ方向は、前記螺合が緩む方向に形成されていることを特徴とする。
【００１２】
請求項６に記載の発明の小型カメラは、請求項５に記載の小型カメラであって、前記カメラレンズ保持具の前記切込みは、前記貫通部の中間部から前記カメラレンズ保持具の表面に掛けて、底が拡開方向に傾けて形成されていることを特徴とする請求項５に記載の小型カメラ。
【００１３】
請求項７に記載の発明のカメラレンズ保持具は、筒状に形成され、内側にレンズを収納し、基端側に第１のネジ部が形成されたレンズ鏡筒と、固体撮像素子を内部に収納し、前記レンズ鏡筒の前記第１のネジ部と螺合する第２のネジ部が形成され、当該第２のネジ部に前記第１のネジ部が螺合した状態で、前記レンズからの光を前記固体撮像素子に導く開口が形成されたカメラ本体と、を備える小型カメラに用いられるカメラレンズ保持具であって、前記カメラ本体に取り付けられた状態で、前記レンズ鏡筒の前記螺合が緩む方向の回転を防止するように形成されていることを特徴とする。
【００１４】
請求項８に記載の発明のカメラレンズ保持具は、請求項７に記載のカメラレンズ保持具であって、前記螺合が緩む方向に前記レンズ鏡筒が回転する際に当該レンズ鏡筒に与える反発力が、前記螺合が締まる方向に前記レンズ鏡筒が回転する際に当該レンズ鏡筒に与える反発力よりも大きくなるように形成されていることを特徴とする。
【００１５】
請求項９に記載の発明のカメラレンズ保持具は、請求項７又は８に記載のカメラレンズ保持具であって、弾性を有する素材で形成され、裏面が前記カメラ本体に取り付けられ、前記レンズ鏡筒が接触した状態で挿入される貫通部を有し、当該貫通部の内面に切込みが形成され、当該切込みにより、前記螺合が緩む方向に前記レンズ鏡筒が回転する際に当該レンズ鏡筒に与える反発力が、前記螺合が締まる方向に前記レンズ鏡筒が回転する際に当該レンズ鏡筒に与える反発力よりも大きくなることを特徴とする。
【００１６】
請求項１０に記載の発明のカメラレンズ保持具は、請求項９に記載のカメラレンズ保持具であって、前記貫通部は、前記レンズ鏡筒の回転軸方向から見て、四角形状に形成され、当該四角形状の四隅に前記切込みが形成され、前記切込みの深さ方向は、前記螺合が緩む方向に形成されていることを特徴とする具。
【００１７】
請求項１１に記載の発明のカメラレンズ保持具は、請求項１０に記載のカメラレンズ保持具であって、前記切込みは、前記貫通部の中間部から前記カメラレンズ保持具の表面に掛けて、底が拡開方向に傾けて形成されていることを特徴とする。
【００１８】
請求項１２に記載の発明の小型カメラは、筒状に形成され、内側にレンズを収納し、基端側に第１のネジ部が形成されたレンズ鏡筒と、固体撮像素子を内部に収納し、前記レンズ鏡筒の前記第１のネジ部と螺合する第２のネジ部が形成され、当該第２のネジ部に前記第１のネジ部が螺合した状態で、前記レンズからの光を前記固体撮像素子に導く開口が形成されたカメラ本体と、前記カメラ本体に取り付けられた状態で、前記レンズ鏡筒の回転を防止するように形成されたカメラレンズ保持具と、を備えることを特徴とする。
【発明の効果】
【００１９】
本発明における小型カメラ及びカメラレンズ保持具によって、小型カメラにおいて、カメラ本体からレンズ鏡筒が回転・脱落するのを防止することができるようになった。
【図面の簡単な説明】
【００２０】
【図１】本発明の第１の実施の形態にかかる小型カメラの全体構成を示す分解斜視図である。
【図２】本発明の第１の実施の形態にかかる小型カメラの全体構成を示す組み立てた状態の斜視図である。
【図３】本発明の第１の実施の形態にかかるカメラレンズ保持具の正面図及び断面図である。
【図４】本発明の第１の実施の形態にかかる小型カメラの回路構成を示すブロック図である。
【発明を実施するための形態】
【００２１】
＜本発明の第１の実施の形態＞
以下、本発明の第１の実施の形態にかかる小型カメラ及びカメラレンズ保持具を、図面に基づいて説明する。  
【００２２】
＜小型カメラの全体構成＞  まず、本発明の第１の実施の形態にかかる小型カメラの構造について説明する。  図１は、本発明の第１の実施の形態にかかる小型カメラの全体構成を示し、図１（ａ）は小型カメラの正面側斜め方向から見た分解斜視図であり、図１（ｂ）は小型カメラの背面側斜め方向から見た分解斜視図である。  
【００２３】
図２は、本発明の第１の実施の形態にかかる小型カメラの全体構成を示し、図２（ａ）は小型カメラの正面側斜め方向から見た組み立てた状態の斜視図であり、図２（ｂ）は小型カメラの背面側斜め方向から見た組み立てた状態の斜視図である。  
【００２４】
図１（ａ）に示すように、小型カメラ1は、カメラ本体２、カメラ駆動部３、レンズユニット４、カメラレンズ保持具５、及び外付ヒートシンク６とから構成される。  カメラ本体２は、本体ヒートシンク２１と、固体撮像素子２２を実装したフレキシブル配線板２３の一端側と、ハウジング２４とを組み立てたものである。  
【００２５】
本体ヒートシンク２１（図１（ａ）参照）の一方の板面には、固体撮像素子２２を実装したフレキシブル配線板２３の一端側を取り付け固定するとともに、フレキシブル配線板２３の一端側覆うハウジング２４を取り付け固定している。  
【００２６】
固体撮像素子２２は、ＣＣＤ（Charge Coupled Device ）イメージセンサやＣＭＯＳ（Complementary Metal Oxide Semiconductor ）センサを用いている。  
【００２７】
本体ヒートシンク２１の外側に延出するフレキシブル配線板２３の他端側には、カメラ駆動部３が取り付けられている。  
【００２８】
ハウジング２４の正面側には、固体撮像素子２２を露出させる円形の開口部２５が形成されている。開口部２５の内周には、後述のレンズ鏡筒４１の雄ネジ部４３と螺合する雌ネジ部２６が形成されている。  
【００２９】
レンズユニット４は、レンズ鏡筒４１と複数のレンズ４２（図４参照）によって構成されている。  複数のレンズ４２は、レンズ鏡筒４１の内側に取り付けられる。前記レンズ鏡筒４１の基端側の外周には、ハウジング２４の雌ネジ部２６と螺合する雄ネジ部４３が形成されている。  
【００３０】
ハウジング２４の開口部２５は、雌ネジ部２６にレンズ鏡筒４１の雄ネジ部４３が螺合した状態で、複数のレンズ４２からの光を前記固体撮像素子２２に導く。
【００３１】
カメラレンズ保持具５は、弾性を有する素材（例えばゴム、ウレタン、スポンジ等）を円盤状に形成したものである。また、カメラレンズ保持具５は、レンズ鏡筒４１が接触した状態で挿入される四角形状の貫通部５１を有している。貫通部５１の四隅には、切込み５２が形成されている。
【００３２】
図１（ｂ）に示すように、カメラレンズ保持具５の裏面には、両面粘着テープ５３が貼り付けられている。カメラレンズ保持具５は、両面粘着テープ５３により裏面がカメラ本体２に取り付けられる。
【００３３】
本体ヒートシンク２１の裏面には、外付ヒートシンク６の四角形の板状部６１の一方の面が取り付けられ。
【００３４】
外付ヒートシンク６は、熱伝導性のよい金属を素材で形成されている。外付ヒートシンク６の板状部６１の他方の面には、複数の放熱フィン６２が形成されている。
【００３５】
図２（ａ）にし雌小型カメラ１を組み立てた状態では、カメラレンズ保持具５の四角形状の貫通部５１にレンズ鏡筒４１が接触した状態で挿入され、レンズ鏡筒４１の先端面とカメラレンズ保持具５の表面は面一に状態になる。
【００３６】
図２（ｂ）に示す小型カメラ１を組み立てた状態では、カメラレンズ保持具５の裏面と、本体ヒートシンク２１（図１（ｂ）参照）の他方の面は、カメラレンズ保持具５の弾性線形により面一の状態となって、外付ヒートシンク６の一方の面が取り付けられる。これにより、固体撮像素子２２（図１（ａ）参照）から発生した熱は、本体ヒートシンク２１を介して外付ヒートシンク６によって効率よく外部に放熱される。
【００３７】
＜カメラレンズ保持具の構造＞  次に、図３を用いて、本発明の第１の実施の形態にかかるカメラレンズ保持具の構造について説明する。
【００３８】
図３は、図１及び図２に示した本発明の第１の実施の形態にかかるカメラレンズ保持具を示し、図３（ａ）はカメラレンズ保持具の正面図であり、図３（ｂ）は図３（ａ）のＡ−Ａ線断面図である。
【００３９】
図３（ａ）に示すように、カメラレンズ保持具５に形成された貫通部５１は、前記レンズ鏡筒４１の回転軸方向から見て、四角形状に形成され、当該四角形状の四隅に前記切込み５２が形成されている。
【００４０】
前記切込み５２の深さ方向は、貫通部５１の４方向の内壁に沿って、ハウジング２４の雌ネジ部２６とレンズ鏡筒４１の雄ネジ部４３の螺合が緩む方向（左回り方向）に形成されている。
【００４１】
図３（ｂ）に示すように、記カメラレンズ保持具５の前記切込み５２は、貫通部５１の中間部からカメラレンズ保持具５の表面に掛けて、底が拡開方向に傾けて形成されている。
【００４２】
ここで、カメラレンズ保持具５の貫通部５１にレンズ鏡筒４１が挿入された状態で、レンズ鏡筒４１が雌ネジ部２６と雄ネジ部４３の螺合が緩む方向（レンズ鏡筒４１の正面側から見て左回り）に回転すると、レンズ鏡筒４１の側面に接触する貫通部５１の壁面は、切込み５２が開くことで螺合が緩む方向に引きずられ、レンズ鏡筒４１と接触する部分より螺合が緩む側（レンズ鏡筒４１の正面側から見て左回り側）が貫通部５１の内側に向けて膨出変形し、レンズ鏡筒４１の側面に螺合が締まる方向の強い反発力を与える。
【００４３】
従って、レンズ鏡筒４１は、螺合が緩む方向に回転すると、カメラレンズ保持具５から螺合が締まる方向の強い反発力が与えられることになる。
【００４４】
一方、カメラレンズ保持具５の貫通部５１にレンズ鏡筒４１が挿入された状態で、レンズ鏡筒４１が雌ネジ部２６と雄ネジ部４３の螺合が締まる方向（レンズ鏡筒４１の正面側から見て右回り）に回転すると、レンズ鏡筒４１の側面に接触する貫通部５１の壁面は、切込み５２が開くことなく螺合が緩む方向に引きずられるので、膨出変形があまり発生せず、レンズ鏡筒４１の側面に加わる螺合が緩む方向の反発力は低くなる。
【００４５】
従って、レンズ鏡筒４１は、螺合が締まる方向に回転すると、カメラレンズ保持具５から螺合が緩む方向の弱い反発力が加えられることになる。
【００４６】
結果的に、小型カメラ１が振動して、カメラ本体２からレンズ鏡筒４１が左右交互に回転した場合、螺合が緩む方向の反発力より、螺合が締まる方向の反発力が大きくなるため、レンズ鏡筒４１が螺合の緩む方向に回転することがなく、カメラ本体２からレンズ鏡筒４１が回転・脱落するのを防止することができる。このことは、レンズ鏡筒４１に人体が接触した場合も同様である。
【００４７】
＜小型カメラの回路構成＞  図４は、本発明の第１の実施の形態にかかる小型カメラの回路構成を示すブロック図である。
【００４８】
図４において、レンズユニット４のレンズ鏡筒４１の内側に取り付けた複数のレンズ４１は、トリプレット構成となっており、被写体からの光をカメラ本体２に設けられた個体撮像素子２２の受光面に結像する。
【００４９】
個体撮像素子２２は、カメラ駆動部３の制御回路３１により駆動され、複数の画素で受光した光を光電変換して変換し、変換した電荷をカメラ駆動部３の制御回路３１に転送する。
【００５０】
カメラ制御部３は、制御回路３１と、バッテリ３２と、電源回路３３と、ＳＤカード３４と、マイクロ通信部３５とから構成される。
【００５１】
電源回路３３は、バッテリ３２からの電力を用いて、直流定電圧の電源電圧を生成し、制御回路３１及びマイクロ通信部３５に供給する。
【００５２】
制御回路３１は、個体撮像素子２２からの電荷に基づいて画像データを生成して、マイクロＳＤカード３４に保存するとともに、通信部３５によりスマートフォン、無線ローカルＬＡＮ、パソコン等に送信する。
【００５３】
以下、このような本発明の実施の形態の構成及び作用を纏めて説明すると、本発明の第１の実施の形態にかかる小型カメラ１は、筒状に形成され、内側にレンズ４２を収納し、基端側に第１のネジ部が形成されたレンズ鏡筒４１と、固体撮像素子２２を内部に収納し、前記レンズ鏡筒４１の前記第１のネジ部と螺合する第２のネジ部が形成され、当該第２のネジ部に前記第１のネジ部が螺合した状態で、前記レンズ４２からの光を前記固体撮像素子２２に導く開口が形成されたカメラ本体２と、前記カメラ本体２に取り付けられた状態で、前記レンズ鏡筒４１の前記螺合が緩む方向の回転を防止するように形成されたカメラレンズ保持具５とを備える。
【００５４】
前記第１のネジ部は、雄ネジ部４３であり、前記第２のネジ部は、雌ネジ部２６である。  前記カメラレンズ保持具５は、前記螺合が緩む方向に前記レンズ鏡筒４１が回転する際に当該レンズ鏡筒４１に与える反発力が、前記螺合が締まる方向に前記レンズ鏡筒４１が回転する際に当該レンズ鏡筒４１に与える反発力よりも大きくなるように形成されている。
【００５５】
前記カメラレンズ保持具５は、弾性を有する素材で形成され、裏面が前記カメラ本体２に取り付けられ、前記レンズ鏡筒４１が接触した状態で挿入される貫通部５１を有し、当該貫通部５１の内面に切込み５２が形成され、当該切込み５２により、前記螺合が緩む方向に前記レンズ鏡筒４１が回転する際に当該レンズ鏡筒４１に与える反発力が、前記螺合が締まる方向に前記レンズ鏡筒４１が回転する際に当該レンズ鏡筒４１に与える反発力よりも大きくなる。
【００５６】
前記カメラレンズ保持具５に形成された前記貫通部５１は、前記レンズ鏡筒４１の回転軸方向から見て、四角形状に形成され、当該四角形状の四隅に前記切込み５２が形成され、前記切込み５２の深さ方向は、前記螺合が緩む方向に形成されている。
【００５７】
前記カメラレンズ保持具５の前記切込み５２は、前記貫通部５１の中間部から前記カメラレンズ保持具５の表面に掛けて、底が拡開方向に傾けて形成されている。
【００５８】
カメラレンズ保持具５は、小型カメラ１に用いられ、前記カメラ本体２に取り付けられた状態で、前記レンズ鏡筒４１の前記螺合が緩む方向の回転を防止するように形成されている。
【００５９】
以上説明した本発明の第１の実施の形態にかかる小型カメラ１によれば、カメラレンズ保持具５が、カメラ本体２に取り付けられた状態で、レンズ鏡筒４１の螺合が緩む方向の回転を防止するように形成されているので、レンズ鏡筒４１が螺合の緩む方向に回転することがなく、カメラ本体２からレンズ鏡筒４１が回転・脱落するのを防止することができる。
【００６０】
また、本発明の第１の実施の形態によれば、小型カメラ１を対象物（例えば、覗き孔を形成した壁）に取り付ける際に、鏡筒部分であるレンズ鏡筒４１を直接対象物へ取り付けなくする事が可能となり、これによっても、レンズ鏡筒４１の回転・脱落を防ぐという効果もあります。
【００６１】
＜本発明の第２の実施の形態＞
以下、本発明の第２の実施の形態にかかる小型カメラについて図１を代用して説明する。
【００６２】
本発明の第２の実施の形態にかかる小型カメラは、ハウジング２４（図１参照）の正面側には、固体撮像素子２２（図１参照）を露出させる円形の開口部２５（図１参照）が形成されている。開口部２５の縁には、正面側に突出するリング状の段部が形成され、この段部の外周に雄ネジ部が形成されている。
【００６３】
レンズ鏡筒４１（図１参照）の基端側の内周には、ハウジング２４の雄ネジ部と螺合する雌ネジ部が形成されている。
【００６４】
以下、このような本発明の第２の実施の形態の構成及び作用を纏めて説明すると、第２の実施の形態にかかる小型カメラは、筒状に形成され、内側にレンズ４２を収納し、基端側に第１のネジ部が形成されたレンズ鏡筒と、固体撮像素子を内部に収納し、前記レンズ鏡筒４１の前記第１のネジ部と螺合する第２のネジ部が形成され、当該第２のネジ部に前記第１のネジ部が螺合した状態で、前記レンズ４２からの光を前記固体撮像素子に導く開口が形成されたカメラ本体と、前記カメラ本体に取り付けられた状態で、前記レンズ鏡筒の前記螺合が緩む方向の回転を防止するように形成されたカメラレンズ保持具とを備え、前記第１のネジ部は、雌ネジ部であり、前記第２のネジ部は、雄ネジ部である。
【００６５】
以上説明した本発明の第２の実施の形態にかかる小型カメラによれば、カメラレンズ保持具が、カメラ本体に取り付けられた状態で、レンズ鏡筒の前記螺合が緩む方向の回転を防止するように形成されているので、レンズ鏡筒が螺合の緩む方向に回転することがなく、カメラ本体２からレンズ鏡筒が回転・脱落するのを防止することができる。
【００６６】
また、本発明の第２の実施の形態によれば、小型カメラを対象物に取り付ける際に、鏡筒部分であるレンズ鏡筒を直接対象物へ取り付けなくする事が可能となり、これによっても、レンズ鏡筒の回転・脱落を防ぐという効果もあります。
【００６７】
尚、第１及び第２の実施の形態では、レンズ鏡筒のレンズを焦点固定式としたが、レンズの焦点を手動調整できるようにしてもよく、またレンズの焦点を自動調整できるようにしてもよい。さらに、レンズ鏡筒のレンズにズーム機能を持たせるようにしてもよい。
【００６８】
カメラレンズ保持具５の貫通部５１の形状及び切込み５２の形状も、前記レンズ鏡筒４１の前記螺合が緩む方向の回転を防止するという条件を満たせば、各種適用可能である。
【００６９】
＜本発明の第３の実施の形態＞
第１及び第２の実施の形態の小型カメラでは、レンズ鏡筒とカメラ本体のネジ部を螺合した状態で締め付けることで、レンズ鏡筒をカメラ本体の定位置に固定し、レンズの焦点位置を固体撮像素子の受光面に合わせるようにしている。
【００７０】
ここで、レンズの焦点位置を固体撮像素子の受光面に合わせる方法としては、出荷時に、レンズ鏡筒とカメラ本体のネジ部を螺合した状態で、レンズ鏡筒を手動で左右に回転させ、レンズの焦点位置を固体撮像素子の受光面に合う位置に調整し（最適なピントに合わせた状態に調整し）、ロックタイト（ネジの固定剤）でレンズ鏡筒とカメラ本体のネジ部を固定する方法がある。
【００７１】
このようなレンズ鏡筒の固定方法を用いた従来の小型カメラでは、レンズ鏡筒を覗き孔などに無理に押し込んだり、または、レンズ鏡筒を直接板などに取り付けしたりすると、ロックタイトが剥がれ、レンズ鏡筒が回転してしまい、ピントが合わなくなり、画像がぼけてしまう事が多々あった。
【００７２】
このことに対応し、本発明の第３の実施の形態にかかる小型カメラは、レンズの焦点位置を固体撮像素子の受光面に合う位置に調整し、最適なピントに合わせた状態で、ロックタイトでレンズ鏡筒とカメラ本体のネジ部を固定する小型カメラにおいて、貫通部の四隅に切込み（図１乃至図３の切込み５２参照）形成しないカメラレンズ保持具を使用し、カメラレンズ保持具の貫通部にレンズ鏡筒を接触した状態で挿入し、カメラレンズ保持具をカメラ本体に取り付ける構成にしている。これ以外の第３の実施の形態にかかる小型カメラの構成は、第１及び第３の実施の形態と同様である。
【００７３】
本発明の第３の実施の形態の構成を纏めて説明すると、小型カメラは、筒状に形成され、内側にレンズを収納し、基端側に第１のネジ部が形成されたレンズ鏡筒と、固体撮像素子を内部に収納し、前記レンズ鏡筒の前記第１のネジ部と螺合する第２のネジ部が形成され、当該第２のネジ部に前記第１のネジ部が螺合した状態で、前記レンズからの光を前記固体撮像素子に導く開口が形成されたカメラ本体と、前記カメラ本体に取り付けられた状態で、前記レンズ鏡筒の回転を防止するように形成されたカメラレンズ保持具とを備える。
【００７４】
このような第３の実施の形態の小型カメラによれば、出荷後において、カメラレンズ保持具の貫通部がレンズ鏡筒に接触することで、レンズ鏡筒の回転を防止し、ピントが合わなくなる事を防止し、画像がぼけてしまう事を防止できる。
【００７５】
また、本発明の第３の実施の形態によれば、小型カメラを対象物に取り付ける際に、鏡筒部分であるレンズ鏡筒を直接対象物へ取り付けなくする事が可能となり、これによっても、レンズ鏡筒の回転・脱落を防ぐという効果もあります。
【００７６】
尚、第１乃至第３の実施の形態において、カメラレンズ保持具をカメラ本体に取り付ける方法としては、両面テープ以外の方法、例えば、接着やネジ止め等、各種適用可能である。
【００７７】
第１乃至第３の実施の形態では、カメラ本体とカメラ制御部を別体としたが、一体にしてもよい。
【００７８】
カメラレンズ保持具の形状は、円盤型以外にも、四角形の板型等、各種適用可能である。
【００７９】
第１乃至第３の実施の形態の実施の形態では、右ネジの雄ネジ部と雄ネジ部を用いたが、左ネジの雄ネジ部と雄ネジ部を用いてもよい。
【００８０】
このように、本発明の、システム、手段、方法、などは、本発明の要旨を変更しない範囲で、様々に変更可能である。
【００８１】
例えば、２つ以上のシステムを１つにすることも可能であるし、逆に、１つのシステムを２つ以上の別のシステムから構成して接続することも可能である。
また、上記第１及び第２の実施の形態は、あくまでも、現在のところの最良の形態またはそれに近い形態の２つにすぎない。
【符号の説明】
【００８２】
１        ：小型カメラ
２        ：カメラ本体
３        ：カメラ駆動部４        ：レンズユニット５        ：カメラレンズ保持具６        ：外付ヒートシンク２１      ：本体ヒートシンク２２      ：固体撮像素子２３      ：フレキシブル配線板２４      ：ハウジング２５      ：開口部２６      ：雌ネジ部
３１      ：制御回路
３２      ：バッテリ
３３      ：電源回路
３４      ：ＳＤカード
３５      ：マイクロ通信部
４１      ：レンズ鏡筒４２      ：レンズ４３      ：雄ネジ部
５１      ：貫通部
５２      ：切込み
５３      ：両面粘着テープ
６１      ：板状部６２      ：放熱フィン
【要約】
【課題】小型カメラにおいて、カメラ本体からレンズ鏡筒が脱落するのを防止する。
【解決手段】小型カメラ１は、筒状に形成され、内側にレンズ４２を収納し、基端側に第１のネジ部が形成されたレンズ鏡筒４１と、固体撮像素子２２を内部に収納し、前記レンズ鏡筒４１の前記第１のネジ部と螺合する第２のネジ部が形成され、当該第２のネジ部に前記第１のネジ部が螺合した状態で、前記レンズ４２からの光を前記固体撮像素子２２に導く開口が形成されたカメラ本体２と、前記カメラ本体２に取り付けられた状態で、前記レンズ鏡筒４１の前記螺合が緩む方向の回転を防止するように形成されたカメラレンズ保持具５とを備える。
【選択図】図１【図１】
0006793239.tif 000002
【図２】
0006793239.tif 000003
【図３】
0006793239.tif 000004
【図４】
0006793239.tif 000005